(57)【要約】【課題】緊急の災害時に必要な避難具や物資を収納した容易に羽織って脱出できる衣服を提供する。【解決手段】腕部分、胴体部分及び背面部等にポケットを設け、且つ背中側には着脱手段によって取り付けられるショルダーバッグが一体に設けられると共に、且つ衣服の背面部等にもポケットを設け、又ライナーハーフコートが内側に着脱手段によって一体に取り付けられているハーフコートであり、又前記腕部分に設けられるポケットの口部は胴部に向かって傾斜して取り付けることもなされる。【選択図】図１
2005146498.tif 000002
【特許請求の範囲】
【請求項１】
腕部分、胴体部分及び背面部等にポケットを設け、且つ背中側には着脱手段によって取り付けられるショルダーバッグが一体に設けられていることを特徴とするハーフコート
【請求項２】
腕部分、胴体部分及び背面部等にポケットを設け、且つ背中側には着脱手段によって取り付けられるショルダーバッグが一体に設けられ、且つ該ショルダーバッグにおける前記着脱手段は襟によって覆われて一体化されていることを特徴とするハーフコート
【請求項３】
腕部分、胴体部分及び背面部等にポケットを設け、且つ背中側には着脱手段によって取り付けられるバッグが一体に設けられ、且つライナーハーフコートが内側に着脱手段によって一体に取り付けられていることを特徴とするハーフコート
【請求項４】
腕部分、胴体部分及び背面部等にポケットを設け、且つ背中側には着脱手段によって取り付けられるバッグが一体に設けられるものにおいて、前記腕部分に設けられるポケットの口部は胴部に向かって傾斜して取り付けられていることを特徴とするハーフコート
【請求項５】
ハーフコートの首周りにランプ等をバランス錘を連結して掛けるようにして、該ハーフコートに着脱自在に取り付けたことを特徴とする請求項１，２，３又は４記載のハーフコート
【請求項６】
前記ハーフコートの背中側に蛍光材又は蓄光剤により暗闇でも発光するようにした避難地図を設けたことを特徴とする請求項１，２又は３記載のハーフコート
【発明の詳細な説明】
【技術分野】
【０００１】
本発明は、衣服に関し、特には非常災害用に好適な衣服であるハーフコートの構成に関するものである。
【背景技術】
【０００２】
地震や大規模火災などの災害時には、避難時にリック、手提げやかばん・バッグ等に非常食、飲料水、負傷用の薬品・包帯、笛、避難器具用のロープや懐中電灯や貴重品をリックやバッグに詰めて携帯又は背負って避難することが行われている。それらリックやバッグは、確かに便利なものであるが、地震などでは、揺れが激しく一刻も猶予できない寸秒を争う事態であるから、家屋からそれら非常食、避難具や貴重品を集めて、それから持って、直ちにリックを背負ったりして退避しなければならないことで時間を要して問題がある。又バッグ等のものも、片手で持つには容量に限界があり、しかも脱出するのに迅速な行動がとれない問題点がある。この寸秒を争う事態では、これやｊ非常用の物資を直ちに携帯できなければならいからである。
【０００３】
しかも、持ち出したリックやバッグ等では、どこに何が入っているかを、混乱時に探す出す必要もある。例えば、避難時に、家屋や建物の中に閉じ込められる事態も容易に想起されるからで、怪我や負傷時には必要品が直ちに求められるからである。
ところが、これらのものでは、只一つか二つの区分の中に収納されているので、いざという時に探し出さねばならない手間が掛かる。これでは、寸秒を争うときには役立たないことが懸念される。
【０００４】
しかも、退避時に人や車の渋滞で混乱が起これば、かばん・バッグ等は混雑のため落とすことも考えられ、又リックも人ごみの中では嵩張って脱出にとって好ましいものではない。
【発明の開示】
【発明が解決しようとする課題】
【０００５】
解決しようとする問題点は、災害時に容易に非常食や避難器具等を衣服内へ収納して羽織ることで脱出できるようにする点である。
【課題を解決するための手段】
【０００６】
本発明は、腕部分、胴体部分及び背面部等にポケットを設け、且つ背中側には着脱手段によって取り付けられるバッグが一体に設けられているハーフコートを提供する
【０００７】
腕部分、胴体部分及び背面部等にポケットを設け、且つ背中側には着脱手段によって取り付けられるバッグが一体に設けられ、且つライナーハーフコートが内側に着脱手段によって一体に取り付けられ、又ハーフコートを提供する該ショルダーバッグにおける前記着脱手段は襟によって覆われて一体化されている。
【０００８】
腕部分、胴体部分及び背面部等にポケットを設け、且つ背中側には着脱手段によって取り付けられるバッグが一体に設けられるものにおいて、前記腕部分に設けられるポケットの口部は胴部に向かって傾斜して取り付けられていることを災害などの非常時に容易に避難器具や非常食等を収納した衣服を提供する。更には、ハーフコートの首周りにランプをバランス錘を連結して掛けるようにして、該ハーフコートに着脱自在に取り付け屋内からの脱出時や夜間での行動に便ならしめたものである。更に、発光剤により暗闇で発光する地図を設けたことで一石二鳥となる。
【発明の効果】
【０００９】
本発明の衣服は、緊急時の地震や火災等において直に羽織って脱出することで、脱出時又は脱出後においても、該衣服内に収納された非常食や避難器具等によって危急を阻止しえるという利点がある。
【発明を実施するための最良の形態】
【００１０】
本発明の衣服のハーフコートは、緊急時の地震や火災等において直ちに羽織って脱出することで非常時に利便あるハーフコートを実現した。
【実施例１】
【００１１】
図１は、本発明のハーフコート１である衣服の１実施例であって、その外側を示している。ハーフコート１の内外にはポケットが複数設けられており、その構成は以下に順次説明される。
【００１２】
まず、腕に対しては腕ポケット３が腕の長さ方向に順次に設けられている。図１に示す腕ポケット３は、この例では、首の方向から片玉ポケット３０、次いでフラップポケット３１が設けられており、適宜な閉鎖のための固定手段、例えばファスナーが開口部に設けられる。
従って、ポケット３０，３１には、避難時に必要なものが収納される。
【００１３】
又胴部には、上から胴ポケット２が内外に順次設けられている。首下のポケット２０１は左右に設けられており、図１では、逆J字状になっており、タック２０の下側がポケット２０１の開口となっている。又図示しないが、ポケット２０１の中に更に、ポケットが設けることも可能である。逆J字状であるので、開きやすくなっている。図１の、前記ポケット２０１の下方の腰辺りにも左右にポケット２０１が設けられており、タック２１の下方にファスナーが設けられている。  ２２１は、ダーツである。
【００１４】
更に、背中側には、図２及び３に示すように、ショルダーバッグ４及びポケット２３０が設けられており、該バッグ４はファスナー４０１、４０２（点線部分）によって着脱自在に取り付けられている。ファスナー４０１は、横方向の一部に、又縦方向には、ファスナー４０２、４０２が左右に各々設けられている。
これらのファスナー４０１、４０２，４０２によって、ショルダーバッグ４は、着脱自在に取り付けることが可能となる。ファスナーである為に、ハーフコート１と一体となっており、違和感はない。又、ショルダーバッグ４には、背中と反対外側に開口できるファスナー４１０（図４参照）があり、ショルダーバッグ４をハーフコート１と一体になった状態で、他の者が取り出すことも可能である。
必要に応じて、取り外して背負うことができるようにバンド４１，４１が並行に2つ設けられており、リックのように肩に掛けることができる。
【００１５】
又、ショルダーバッグ４は、ファスナー４０１、４０２を隠すように、襟２１２、２１３，２１３が延出しているので、ショルダーバッグ４をそれらファスナー４０１，４０２，４０２に取り付けた後は、襟２１２，２１３，２１３がショルダーバッグ４を隠すのであたかも該バッグ４は、ハーフコート１とは別体ではなく一体となってみえ、違和感はない。この状態は、図３では未だバッグ４は襟２１２，２１３，２１３によって覆われていないが、図１１であれば取り付け前のその状態は明らかである。
【００１６】
又、頭には、フード５が被れるようにハーフコート１の内衿フリース３１１へプラスチックドット釦３１０が設けられている。
フード５は、防火材にても構成することができ、又落下物に対しても耐衝撃となる。フード５の後部には、フラップ付のパッチポケット５０が設けられており、例えば、透明の樹脂性の袋が入っている。これは、火災が発生したときに、頭から被れば数分間でも有毒ガスを吸引することから防ぐことが可能であるためである。  特にビル火災では、火元が下の階で発生したときは、煙の充満は数分で階段中に蔓延し、それがために、死亡することが多いので、気が転倒する事態には、これを頭に被ることを連想させるフード１へ設けることは非常時には好ましいからである。
このように、このハーフコート１には、災害時に連想される避難具が各ポケットへ収納される。
【００１７】
更にハーフコート１の内側には、図６に示すようにライナーハーフコート６を設けることもでき、そのコート６は、図７に示す展開図のように、両端は、外側のハーフコート１へ連結するように、ファスナー６３、６３が設けられており、同様に対応して設けられる外側にハーフコート１のファスナーとによって合体する。ファスナーの位置は、当然コートの前側の合わせ目近くの内側となる。ポケット６２、６２、６３、６４が各設けられており、ここには預金通帳やカード等の貴重品が収納される。
【００１８】
又、スピンドル６１２がライナーハーフコートの胴回りに通されていて、前側で、スピンドル６１２を締めておくことができる。
ライナーハーフコート６とハーフコート１との接続は、前記したファスナーとの他、袖の先端部分は、図５に示すように、グログランテープでループ６０２が、又首部分にも、同ループ６０３が形成されており、ハーフコート１の内側には、図１に示すようなライナーハーフコート１のループ６０２と結合する端部に釦を付けた輪状のループ３０２及びが形成されている。ループ６０２、６０３の輪に対して、輪状のループがその孔をくぐり釦でループを閉じる形式のものが採用される。勿論、それは相対的な関係であるから、逆にループと釦付の輪状のループであってもよい。
いずれにしても、２つのコートはファスナーと端部のループで固定される。
【００１９】
又、腕のポケットには、様々な取り出しが考えられる。例えば、図８に示すように、斜めにファスナー３００を設けることも可能である。その場合、ファスナーの傾斜は、即ち口部の傾斜は、体の方向に向けて傾けると開きやすい利点がある。このようなポケットには、緊急性の高い携帯電話や助けや連絡用の求める笛等が収納されよい。
【００２０】
ファスナーとしては、図９に示すような一連の長いものでも可である。この場合には、ポケットが中で幾つかに分かれているように構成することができる。この実施例では、一回の開く動作で複数のポケットを開くことができ、緊急時には取り出しが迅速に行える構成となっている。
この形式のポケットは他の部位にても設置することが可能であり、例えば、図に示すハーフコート１の胴体部分の前側のポケット２０１をファスナーで開閉できるポケットにおいても適用できる。このように一連の複数のポケットを一つのファスナーで開閉できるものとすることは、緊急時に有効である。勿論、ファスナーでなくても、スピードは遅いが釦式でも可能である。
【００２１】
このようなハーフコートを採用したので、特に地震や火事等に緊急事態に対応して、それを羽織って脱出すれば、貴重品はもとより携帯食料や脱出後の連絡手段や更には簡単な医療具等必要なものを携帯してあるので、不測の事態に対応できる効果がある。更には、ハーフコートを二重にすれば、冬季には厳寒の中でも生存する可能性が高くなる。更に、衣服材を耐火性とすることで、火災現場も通過することができる。
【００２２】
このように複数のポケットを腕部、胴部の内外、背面部に設けるので、緊急時に必要なものを収納しておき、羽織るだけで直ちに避難をすることができ、避難後においても生命維持のための活動を保証してくれる。特に、腕ポケットに笛を用意しておけば、建物が崩壊して閉じ込められても、直ちに取り出して救援を求める手段とすることができる。神戸地震では、建物の崩壊で多くの人がその下敷きになって犠牲を出したが、このような場合にも、対応することができる。又携帯電話も同様にポケットに収納しておけば、救援を求めることとができる。
【００２３】
更に、複数のポケットが形成されるので、どこに何が収納されているか迷いかねないので、収納箇所を記した記録シートを、図１０に示すように、ハーフコート１の内側か又は、外側へ設けることで、必要なものを混乱なく迅速に探すことができる。この図１０に示すものは、コートの画に対してそのポケットには何が入っているかを記載している。勿論、シートとして、収納物を記入できるような紙か再記入できるようなシートを使用し、ボールペン等で記入できるようにすることもできる。
このようなシートをコートの外側か内側に貼っておけば、例え緊急時に忘れたとしても直にその所在を知ることができる。  あるいは、ノート状にしておいて、内側のポケット内に収めておいてもよい。特に、ハーフコートのポケットへ収納物と同じデザインのシンボルへ貼っておき、更に前記シートにも同じマークで記入しておけば更に必要なものを迅速に取り出すことが可能である。例えば、笛なら、笛のマークを記したものをポケットの上に貼っておくことも可能であり。これは子供用としても適用できる。
又、怪我などの消毒具や包帯としてはそのマークとして赤十字を付けておけばよい。
【００２４】
図１１に示すものは、ハーフコート１の背面のショルダーバッグ４を取り付ける背面に避難地図９０１を貼ったものを示す。該地図はコートに直接印刷しても可だが、印刷したのを貼っても構わない。
９０２には、病院や本人の住所や連絡先等の電話番号等の情報が記載される。従って、緊急時には、避難地図に従って、自己のみならず第三者も確認して慌てることなく安全に避難することができる利便がある。勿論、自分や家族の住所や連絡先を記入することもでき、極めて便利である。
更に、地図を蛍光塗料へ塗ったり蓄光剤により発光させるようにしておけば、バッグ４を携帯している場合、地図自体も暗闇でも見えるだけでなく、又遠方からも着ている者の存在は目視できるので車両等に対し安全であり、又屋内に閉じ込められたときもの発光するので救助が早くなる。
特に、バッグ４の取り付ける箇所に地図を設けておけば、バッグ４が地図を覆うことになるので地図自体が風雨や天候による影響を最小限にすることができる。
又バッグ４にも発光剤による赤十字等のマーク９の構成を設けることができる。
【００２５】
図１２に示す例では、ポケットの配置について説明される。ポケットは裏地側も手を入れられるようになっている。図１２の（４）は、入り口が同じ位置に設けてあるが、この場合に、ポケットの入り口が同じであると、物を入れたつもりが入っていないで勘違いで外側へ出してしまう恐れがあるので、入り口は表と裏地ではずらしてある。
この点は、図１２の（２）（３）に示す例のように、裏地側は表側に対して、下方へポケットの入り口が設けられている。特に、図１２の（２）では入り口の角度がずらしておき、使用者の感覚の相違を利用しておき、内外からの違いにより、勘違いを防止することができる。更に、外側のポケットから内側の入り口に手が入るのを防止するために、内側のポケットに上方向の逆カバーを設けておけば、打つ側の入り口に手を入れることが防げる。特に、背中側に内外から取出せるようにポケットを設けておけば、第三者にとっても便利となる。
なお、図１２の（２）に示すように、腕部分をファスナーで着脱自在にしておいて夏季等暑いときには取り外せるようにしておいてもよい。
【００２６】
更には、図１３に示すように、ランプ８を襟の首の周りに掛けておき、建物が崩壊したり又は暗夜においても、よき信号灯や自己の所在を明らかにすることができる。
ランプ８は、一方にランプ８を他方に錘８０１を設けておき、首に掛けたときのバランスを取るようにすることができる。その錘８０１は、ハーフコートの一箇所にホック８０２等で取り付けるようにしておくことが出来る。このような状態で、ランプ８のスイッチを点けて点燈すれば、格別手に持ったり帽子に取り付けなくても照らすことが可能となる。更にランプ８はラジオ共用の形式のものを使えば更に便利となる。又錘の代わりに太陽電池部とバッテリーとすれば、例え、電池切れになっても困ることはない。
ランプ８と錘８０１とは、帯８０２にて等連結されており、該帯８０２は、厚でに作れば骨折に又薄手にすれば怪我などの非常事態には血止めの包帯としても活用できるようにしておくこともできる。
【００２７】
この例では、矢張り腕の部分に夜光塗料か蓄光材による発光材９１１又は反射材９１１を設けておけば、夜間の交通安全にも寄与でき，さらには、図示のような一方向に向かう矢印を腕に設けておけば、暗夜腕を動かすことで避難者の交通誘導にも有効な活用できることになる。
この点は、図１１の背中側に、発光剤で交通マーク９、９０３を設けることと相まって大きな効果を奏することになる。又、バッグ４のも赤十字のマーク９も貼るか印刷することが出来る。
【００２８】
以上、本発明の具体例が説明されてきたが、上記実施例に限定されることなく当業者によって、本発明の技術思想を実質的に離れることなく種々の変形が可能であり、これらは本発明の技術的範囲に含まれることは明らかである。
【図面の簡単な説明】
【００２９】
【図１】本発明の一実施例であるハーフコートを示した説明図である。
【図２】上記ハーフコートの背面を示した説明図である（バッグの取り付け前）。
【図３】上記ハーフコートの背面であって、ショルダーバッグを取り付ける状態を示す。
【図４】上記バッグの表・裏面の構造とフードの側面を示す。
【図５】上記インナーハーフコートの表面を示す
【図６】上記インナーハーフコートの裏面を示す
【図７】上記インナーハーフコートの展開図を示す
【図８】本発明の一実施例であるハーフコートの腕部分のポケットを示す
【図９】本発明の他の一実施例であるハーフコートの腕部分のポケットを示す
【図１０】本発明のハーフコートに使用されるポケットの内容表示用の記録シートを設けた点を示す
【図１１】本発明の他の実施例でハーフコートの背面を利用した状態を示す
【図１２】本発明の他の実施例で、ハーフコートの設けられるポケットの種々の例を示す。
【図１３】本発明の他の実施例で、ハーフコートの設けられるランプの取付け状況を示す。
【符号の説明】
【００３０】
１    ハーフコート
２    腕ポケット
３    胴部ポケット
４    ショルダーポケット
５    フード
６    インナーハーフコート
８    ランプ
【図１】
2005146498.tif 000003
【図２】
2005146498.tif 000004
【図３】
2005146498.tif 000005
【図４】
2005146498.tif 000006
【図５】
2005146498.tif 000007
【図６】
2005146498.tif 000008
【図７】
2005146498.tif 000009
【図８】
2005146498.tif 000010
【図９】
2005146498.tif 000011
【図１０】
2005146498.tif 000012
【図１１】
2005146498.tif 000013
【図１２】
2005146498.tif 000014
【図１３】
2005146498.tif 000015